(57)【要約】【課題】複数の発電設備の無効電力負担及び変圧器負荷時タップ切替器の動作回数を平準化するように動作する変圧器制御装置を提供する。【解決手段】変圧器制御装置２０が、電力系統１の制御対象領域１ａに接続されている他の変圧器１２のタップ位置に関する情報を記憶する情報記憶手段１７を備え、タップ制御手段１６は、制御対象領域１ａの系統電圧が目標電圧に対して許容偏差以上であり且つ自己の変圧器１２のタップ位置が他の変圧器１２のタップ位置より高いとき、自己の負荷時タップ切替機構に対して変圧器１２のタップ位置を下げる方向への切替駆動信号を出力し、及び、制御対象領域１ａの系統電圧が目標電圧に対して許容偏差以下であり且つ自己の変圧器１２のタップ位置が他の変圧器１２のタップ位置より低いとき、自己の負荷時タップ切替機構に対して変圧器１２のタップ位置を上げる方向への切替駆動信号を出力する。【選択図】図１
2011200003.tif 000002
【特許請求の範囲】
【請求項１】
発電機が負荷時タップ切替機構を有する変圧器を介して電力系統に接続されている発電設備において、前記電力系統の中の、前記発電機が接続されている特定の制御対象領域の系統電圧を検出する電圧検出手段と、前記負荷時タップ切替機構のタップ位置の切替駆動信号を前記負荷時タップ切替機構に出力可能なタップ制御手段とを備えて、前記変圧器に対応して設けられている変圧器制御装置であって、
前記電力系統の前記制御対象領域に、負荷時タップ切替機構を有する他の変圧器を介して他の発電機が接続されているときの、前記他の変圧器に対応して設けられている他の変圧器制御装置との間で情報通信回線を介して通信された前記他の変圧器のタップ位置に関する情報を記憶する情報記憶手段を備え、
前記タップ制御手段は、
前記電圧検出手段が検出する前記制御対象領域の系統電圧が目標電圧に対して許容偏差以上であり、且つ、自己の前記変圧器のタップ位置が前記情報記憶手段に記憶されている前記他の変圧器のタップ位置より高いとき、自己の前記変圧器の前記負荷時タップ切替機構に対して自己の前記変圧器のタップ位置を下げる方向への切替駆動信号を出力し、及び、
前記電圧検出手段が検出する前記制御対象領域の系統電圧が目標電圧に対して許容偏差以下であり、且つ、自己の前記変圧器のタップ位置が前記情報記憶手段に記憶されている前記他の変圧器のタップ位置より低いとき、自己の前記変圧器の前記負荷時タップ切替機構に対して自己の前記変圧器のタップ位置を上げる方向への切替駆動信号を出力する変圧器制御装置。
【請求項２】
前記タップ制御手段は、
前記電圧検出手段が検出する前記制御対象領域の系統電圧が目標電圧に対して許容偏差以上であり、且つ、前記自己の変圧器のタップ位置が前記情報記憶手段に記憶されている前記他の変圧器のタップ位置より低いとき、前記他の変圧器制御装置に対して前記他の変圧器のタップ位置を下げるように前記情報通信回線を介して指示し、及び、
前記電圧検出手段が検出する前記制御対象領域の系統電圧が目標電圧に対して許容偏差以下であり、且つ、前記自己の変圧器のタップ位置が前記情報記憶手段に記憶されている前記他の変圧器のタップ位置より高いとき、前記他の変圧器制御装置に対して前記他の変圧器のタップ位置を上げるように前記情報通信回線を介して指示する請求項１記載の変圧器制御装置。
【請求項３】
前記情報記憶手段は、前記自己の変圧器のタップ位置と前記他の変圧器のタップ位置とが同じである場面において何れかの変圧器のタップ位置を上げることが必要になったとき、何れの変圧器のタップ位置を上げるように当該負荷時タップ切替機構のタップ位置を優先して切り替えるのか規定された上げ方向優先順位情報と、前記自己の変圧器のタップ位置と前記他の変圧器のタップ位置とが同じである場面において何れかの変圧器のタップ位置を下げることが必要になったとき、何れの変圧器のタップ位置を下げるように当該負荷時タップ切替機構のタップ位置を優先して切り替えるのか規定された下げ方向優先順位情報とを記憶し、
前記タップ制御手段は、
前記電圧検出手段が検出する前記制御対象領域の系統電圧が目標電圧に対して許容偏差以上であり、且つ、前記自己の変圧器のタップ位置が前記他の変圧器のタップ位置と同じであるとき、前記情報記憶手段に記憶されている前記下げ方向優先順位情報に基づいて何れの変圧器のタップ位置を下げるのかを決定して、前記自己の変圧器のタップ位置を下げると決定した場合には自己の前記負荷時タップ切替機構に対して前記自己の変圧器のタップ位置を下げる方向への切替駆動信号を出力し、並びに、
前記電圧検出手段が検出する前記制御対象領域の系統電圧が目標電圧に対して許容偏差以下であり、且つ、前記自己の変圧器のタップ位置が前記他の変圧器のタップ位置と同じであるとき、前記情報記憶手段に記憶されている前記上げ方向優先順位情報に基づいて何れの変圧器のタップ位置を上げるのかを決定して、前記自己の変圧器のタップ位置を上げると決定した場合には自己の前記負荷時タップ切替機構に対して前記自己の変圧器のタップ位置を上げる方向への切替駆動信号を出力する請求項１又は２記載の変圧器制御装置。
【請求項４】
前記情報記憶手段は、前記自己の変圧器のタップ位置と前記他の変圧器のタップ位置とが同じである場面において何れかの変圧器のタップ位置を上げることが必要になったとき、何れの変圧器のタップ位置を上げるように当該負荷時タップ切替機構のタップ位置を優先して切り替えるのか規定された上げ方向優先順位情報と、前記自己の変圧器のタップ位置と前記他の変圧器のタップ位置とが同じである場面において何れかの変圧器のタップ位置を下げることが必要になったとき、何れの変圧器のタップ位置を下げるように当該負荷時タップ切替機構のタップ位置を優先して切り替えるのか規定された下げ方向優先順位情報とを記憶し、
前記タップ制御手段は、
前記電圧検出手段が検出する前記制御対象領域の系統電圧が目標電圧に対して許容偏差以上であり、且つ、前記自己の変圧器のタップ位置が前記他の変圧器のタップ位置と同じであるとき、前記情報記憶手段に記憶されている前記下げ方向優先順位情報に基づいて何れの変圧器のタップ位置を下げるのかを決定して、前記他の変圧器のタップ位置を下げると決定した場合には前記他の変圧器制御装置に対して前記他の変圧器のタップ位置を下げるように前記情報通信回線を介して指示し、並びに、
前記電圧検出手段が検出する前記制御対象領域の系統電圧が目標電圧に対して許容偏差以下であり、且つ、前記自己の変圧器のタップ位置が前記他の変圧器のタップ位置と同じであるとき、前記情報記憶手段に記憶されている前記上げ方向優先順位情報に基づいて何れの変圧器のタップ位置を上げるのかを決定して、前記他の変圧器のタップ位置を上げると決定した場合には前記他の変圧器制御装置に対して前記他の変圧器のタップ位置を上げるように前記情報通信回線を介して指示する請求項１〜３の何れか一項に記載の変圧器制御装置。
【請求項５】
前記タップ制御手段は、
前記他の変圧器制御装置から、前記自己の変圧器のタップ位置を上げるように前記情報通信回線を介して指示されたとき、自己の前記負荷時タップ切替機構に対して前記自己の変圧器のタップ位置を上げる方向への切替駆動信号を出力し、
前記他の変圧器制御装置から、前記自己の変圧器のタップ位置を下げるように前記情報通信回線を介して指示されたとき、自己の前記負荷時タップ切替機構に対して前記自己の変圧器のタップ位置を下げる方向への切替駆動信号を出力する請求項１〜４の何れか一項に記載の変圧器制御装置。
【発明の詳細な説明】
【技術分野】
【０００１】
本発明は、変圧器に対して設けられている変圧器制御装置に関し、特に、発電機が負荷時タップ切替機構を有する変圧器を介して電力系統に接続されている発電設備において、電力系統の中の、発電機が接続されている特定の制御対象領域の系統電圧を検出する電圧検出手段と、負荷時タップ切替機構のタップ位置の切替駆動信号を負荷時タップ切替機構に出力可能なタップ制御手段とを備える変圧器制御装置に関する。
【背景技術】
【０００２】
発電機が、負荷時タップ切替機構を有する変圧器を介して電力系統に接続され、その負荷時タップ切替機構のタップ位置を切り替えることで（即ち、変圧器の系統側電圧を変化させることで）、電力系統の系統電圧を増減調整しようとする発電設備がある。このような発電設備において、負荷時タップ切替機構のタップ位置は、変圧器制御装置によって自動的に切り替えられる。そして、発電機が接続されている電力系統の特定の領域を制御対象領域とした場合、その制御対象領域の系統電圧を目標電圧に維持することが変圧器制御装置の役割となる。例えば、負荷時タップ切替機構のタップ位置を切り替えて変圧器の系統側電圧を上昇させることで、制御対象領域の系統電圧を上昇させることができる。或いは、変圧器の系統側電圧を低下させることで、制御対象領域の系統電圧を低下させることができる。
【０００３】
このような発電設備において、電力系統の制御対象領域の系統電圧は、図１に示すような電圧検出手段によって検出される。図１に示す電圧検出手段１３は、電圧検出用変圧器１４と変換器１５とを有する。電圧検出用変圧器１４は、制御対象領域１ａの電力系統１に接続されて、その接続部分の系統電圧（又は系統電圧に対応する電圧）を変換器１５の内部回路に発生させる。変換器１５は、電圧検出用変圧器１４によって自身の内部回路に発生された電圧値を上記制御対象領域１ａの系統電圧値に変換して、その制御対象領域１ａの系統電圧値を、タップ制御手段１６に出力する。タップ制御手段１６は、電圧検出手段１３が検出する制御対象領域１ａの系統電圧が目標電圧に対して許容偏差以上であるとき、負荷時タップ切替機構に対して自己の変圧器１２の系統側電圧を下げる方向へのタップ位置の切替駆動信号を出力する。或いは、タップ制御手段１６は、電圧検出手段１３が検出する系統電圧が目標電圧に対して許容偏差以下であるとき、負荷時タップ切替機構に対して変圧器１２の系統側電圧を上げる方向へのタップ位置の切替駆動信号を出力する。
【０００４】
特許文献１には、複数の発電設備が電力系統に接続されたシステムが記載されている。各発電設備は、発電機と、負荷時タップ切替機構を有する変圧器と、変圧器制御装置とを備える。変圧器制御装置は、電圧検出手段とタップ制御手段とを有する。特許文献１に記載の発明では、ある発電設備を始動して電力系統に新たに接続するとき、先に電力系統に接続している発電設備があるときは、その先に電力系統に接続してある発電設備の負荷時タップ切替機構のタップ位置に、後から接続する発電設備の負荷時タップ切替機構のタップ位置を合わせる制御が行われている。
【先行技術文献】
【特許文献】
【０００５】
【特許文献１】特開平７−１９４００９号公報
【発明の概要】
【発明が解決しようとする課題】
【０００６】
電力系統の制御対象領域に同一構成の複数の発電設備（発電機、負荷時タップ切替機構を有する変圧器、変圧器制御装置）が接続されている場合、各発電設備に設けられている変圧器制御装置の電圧検出手段が同じ装置構成であれば、各電圧検出手段が各タップ制御手段に同時に出力する系統電圧値は本来ならば互いに同じ値のはずである。しかし、電圧検出手段が有する電圧検出用変圧器の検出誤差及び変換器の変換誤差などによって、タップ制御手段へ出力される制御対象領域の系統電圧値が、複数の電圧検出手段の間で異なった値となる可能性がある。例えば、一方の発電設備の電圧検出手段が他方の発電設備の電圧検出手段よりも、制御対象領域の系統電圧として低い値を出力しがちである場合、その一方の電圧検出手段が検出する系統電圧値の伝達を受けるタップ制御手段は、目標電圧に対して許容偏差以下にあるとの判定（即ち、自身の変圧器の系統側電圧を上げる方向へタップ位置を切り替えるべきとの判定）を他方のタップ制御手段よりも高い頻度で下す可能性がある。その結果、一方の発電設備の負荷時タップ切替機構のタップ位置の方が常時高くなる可能性や、更には、複数の発電装置の間でのタップ位置の相違が次第に大きくなる可能性もある。
【０００７】
負荷時タップ切替機構のタップ位置が相違すると、発電機から出力される無効電力の大きさも必然的に異なるようになり、大きな無効電力を出力する方が発電機にとっての負担が大きくなるという問題に至る。つまり、各電圧検出手段が有する電圧検出用変圧器の検出誤差及び変換器の変換誤差の問題が、各発電機の無効電力負担の差として現れる。また、変圧器間のタップ動作頻度にバラツキが生じるようになり、その結果特定の変圧器のみタップ切替機構のメンテナンス周期が短くなる可能性が生じる。
【０００８】
また、一つの発電所の複数の発電設備が同一の母線に接続され、各々の発電設備が各々のタップ動作により個別に目標電圧を追従する制御を行う場合、各々のタップ制御発電設備は同一の系統電圧を検出し、それに対し同一の目標電圧をもって電力系統の系統電圧を維持する動作を行うこととなる。その結果、系統電圧が短時間に大きく変動する場合には、変圧器制御装置の電圧検出手段の検出誤差、変換器の変換誤差等の有無に関わらず、複数台の変圧器のタップ動作が一斉に行われる可能性がある。この結果、複数の発電機による無効電力調整がほぼ同時に発生するため、変圧器タップによる電圧制御刻みは大きいものとなり、系統電圧に対し大きな変動を与えてしまう懸念がある。
【０００９】
従って、各電圧検出手段が有する電圧検出用変圧器で検出誤差が発生しても又は変換器で変換誤差が発生しても、発電機の無効電力負担及び各々の変圧器のタップ動作回数が極力平準化されるように負荷時タップ切替機構のタップ位置を制御し、また複数の発電設備が存在する場合には各々の変圧器のタップを同時に動作させないような、変圧器制御装置が求められる。
【００１０】
特許文献１に記載の制御内容は、あくまでも新たに発電設備を稼動させるときの制御であり、複数の発電設備を並行して定常的に稼動させている間の制御ではない。つまり、特許文献１には、複数の発電設備が同時に電力系統に接続されており、各別に負荷時タップ切替機構のタップ位置の切り替えが定常的に行われている状況において、変圧器制御装置がどのようなタップ位置の切替制御を行うのかについて記載されていない。よって、特許文献１に記載のシステムでも、電圧検出手段で検出誤差等が発生した場合は、上述のように、複数の負荷時タップ切替機構のタップ位置が次第に乖離していく可能性がある。また、変圧器間のタップ位置を揃えることを系統電圧制御よりも優先するため、その制御を行っている間の系統側電圧については、系統側電圧の維持目標値に対し乖離が大きくなる可能性がある。
【００１１】
本発明は、上記の課題に鑑みてなされたものであり、その目的は、複数の発電機の無効電力負担、各々の変圧器のタップ動作回数、及びタップ動作タイミングを平準化するように動作する変圧器制御装置を提供する点にある。
【課題を解決するための手段】
【００１２】
上記目的を達成するための本発明に係る変圧器制御装置の特徴構成は、発電機が負荷時タップ切替機構を有する変圧器を介して電力系統に接続されている発電設備において、前記電力系統の中の、前記発電機が接続されている特定の制御対象領域の系統電圧を検出する電圧検出手段と、前記負荷時タップ切替機構のタップ位置の切替駆動信号を前記負荷時タップ切替機構に出力可能なタップ制御手段とを備えて、前記変圧器に対応して設けられている変圧器制御装置であって、
前記電力系統の前記制御対象領域に、負荷時タップ切替機構を有する他の変圧器を介して他の発電機が接続されているときの、前記他の変圧器に対応して設けられている他の変圧器制御装置との間で情報通信回線を介して通信された前記他の変圧器のタップ位置に関する情報を記憶する情報記憶手段を備え、
前記タップ制御手段は、
前記電圧検出手段が検出する前記制御対象領域の系統電圧が目標電圧に対して許容偏差以上であり、且つ、自己の前記変圧器のタップ位置が前記情報記憶手段に記憶されている前記他の変圧器のタップ位置より高いとき、自己の前記変圧器の前記負荷時タップ切替機構に対して自己の前記変圧器のタップ位置を下げる方向への切替駆動信号を出力し、及び、
前記電圧検出手段が検出する前記制御対象領域の系統電圧が目標電圧に対して許容偏差以下であり、且つ、自己の前記変圧器のタップ位置が前記情報記憶手段に記憶されている前記他の変圧器のタップ位置より低いとき、自己の前記変圧器の前記負荷時タップ切替機構に対して自己の前記変圧器のタップ位置を上げる方向への切替駆動信号を出力する点にある。
【００１３】
上記特徴構成によれば、タップ制御手段は、系統電圧が目標電圧に対して許容偏差以上である場面（即ち、系統電圧を目標電圧に近づけるように低下させることが必要になった場面）において、自己の変圧器のタップ位置が情報記憶手段に記憶されている他の変圧器のタップ位置より高いとき、負荷時タップ切替機構に対して自己の変圧器の系統側電圧を下げる方向へのタップ位置の切替駆動信号を出力する。つまり、タップ制御手段は、系統電圧を低下させるための貢献が求められている場面において、制御対象である自己の変圧器に接続される発電機の無効電力負担が、他の変圧器に接続される発電機の無効電力負担よりも大きい場合に、自己の変圧器のタップ位置を下げるように、負荷時タップ切替機構に対してタップ位置の切替駆動信号を出力する。
【００１４】
加えて、タップ制御手段は、系統電圧が目標電圧に対して許容偏差以下である場面（即ち、系統電圧を目標電圧に近づけるように上昇させることが必要になった場面）において、自己の変圧器のタップ位置が情報記憶手段に記憶されている他の変圧器のタップ位置より低いとき、負荷時タップ切替機構に対して自己の変圧器の系統側電圧を上げる方向へのタップ位置の切替駆動信号を出力する。つまり、タップ制御手段は、系統電圧を上昇させるための貢献が求められている場面において、制御対象である自己の変圧器に接続される発電機の無効電力負担が、他の変圧器に接続される発電機の無効電力負担よりも小さい場合に、自己の変圧器のタップ位置を上げるように、負荷時タップ切替機構に対してタップ位置の切替駆動信号を出力する。
【００１５】
以上のように、本特徴構成によれば、タップ制御手段によるタップ位置の切替制御によって、各発電機を電力系統に接続している各変圧器のタップ位置が互いに近づくように、或いは、各変圧器の系統側電圧が乖離するとしても最小限に収まるようになる。また、各変圧器のタップ動作が同時に行われることは無くなる。
従って、複数の発電機の無効電力負担、即ち、電力系統の系統電圧を目標電圧付近に維持するための貢献度合い、タップ動作回数、及びタップ動作タイミングを平準化するように動作する変圧器制御装置を提供できる。
【００１６】
本発明に係る変圧器制御装置の別の特徴構成は、
前記タップ制御手段は、
前記電圧検出手段が検出する前記制御対象領域の系統電圧が目標電圧に対して許容偏差以上であり、且つ、前記自己の変圧器のタップ位置が前記情報記憶手段に記憶されている前記他の変圧器のタップ位置より低いとき、前記他の変圧器制御装置に対して前記他の変圧器のタップ位置を下げるように前記情報通信回線を介して指示し、及び、
前記電圧検出手段が検出する前記制御対象領域の系統電圧が目標電圧に対して許容偏差以下であり、且つ、前記自己の変圧器のタップ位置が前記情報記憶手段に記憶されている前記他の変圧器のタップ位置より高いとき、前記他の変圧器制御装置に対して前記他の変圧器のタップ位置を上げるように前記情報通信回線を介して指示する点にある。
【００１７】
上記特徴構成によれば、タップ制御手段は、系統電圧が目標電圧に対して許容偏差以上である場面（即ち、系統電圧を目標電圧に近づけるように低下させることが必要になった場面）において、自己の変圧器のタップ位置が情報記憶手段に記憶されている他の変圧器のタップ位置より低いとき、他の変圧器制御装置に対して他の変圧器のタップ位置を下げるように情報通信回線を介して指示する。つまり、タップ制御手段は、系統電圧を低下させるための貢献が求められている場面において、他の変圧器に接続される発電機の無効電力負担が、制御対象である自己の変圧器に接続される発電機の無効電力負担よりも大きい場合に、他の変圧器制御装置に対して他の変圧器のタップ位置を下げるように情報通信回線を介して指示する。
【００１８】
加えて、タップ制御手段は、系統電圧が目標電圧に対して許容偏差以下である場面（即ち、系統電圧を目標電圧に近づけるように上昇させることが必要になった場面）において、自己の変圧器のタップ位置が情報記憶手段に記憶されている他の変圧器のタップ位置より高いとき、他の変圧器制御装置に対して他の変圧器のタップ位置を上げるように情報通信回線を介して指示する。つまり、タップ制御手段は、系統電圧を上昇させるための貢献が求められている場面において、自己による系統電圧を上昇させるための貢献度合いが他よりも高いとき、他の変圧器に接続される発電機の無効電力負担が、制御対象である自己の変圧器に接続される発電機の無効電力負担よりも小さい場合に、他の変圧器制御装置に対して他の変圧器のタップ位置を上げるように情報通信回線を介して指示する。
【００１９】
以上のように、本特徴構成によれば、タップ制御手段によるタップ位置の切替制御によって、各発電機を電力系統に接続している各変圧器のタップ位置が互いに近づくように、或いは、各変圧器の系統側電圧が乖離するとしても最小限に収まるようになる。また、各変圧器のタップ動作が同時に行われることは無くなる。
【００２０】
本発明に係る変圧器制御装置の更に別の特徴構成は、
前記情報記憶手段は、前記自己の変圧器のタップ位置と前記他の変圧器のタップ位置とが同じである場面において何れかの変圧器のタップ位置を上げることが必要になったとき、何れの変圧器のタップ位置を上げるように当該負荷時タップ切替機構のタップ位置を優先して切り替えるのか規定された上げ方向優先順位情報と、前記自己の変圧器のタップ位置と前記他の変圧器のタップ位置とが同じである場面において何れかの変圧器のタップ位置を下げることが必要になったとき、何れの変圧器のタップ位置を下げるように当該負荷時タップ切替機構のタップ位置を優先して切り替えるのか規定された下げ方向優先順位情報とを記憶し、
前記タップ制御手段は、
前記電圧検出手段が検出する前記制御対象領域の系統電圧が目標電圧に対して許容偏差以上であり、且つ、前記自己の変圧器のタップ位置が前記他の変圧器のタップ位置と同じであるとき、前記情報記憶手段に記憶されている前記下げ方向優先順位情報に基づいて何れの変圧器のタップ位置を下げるのかを決定して、前記自己の変圧器のタップ位置を下げると決定した場合には自己の前記負荷時タップ切替機構に対して前記自己の変圧器のタップ位置を下げる方向への切替駆動信号を出力し、並びに、
前記電圧検出手段が検出する前記制御対象領域の系統電圧が目標電圧に対して許容偏差以下であり、且つ、前記自己の変圧器のタップ位置が前記他の変圧器のタップ位置と同じであるとき、前記情報記憶手段に記憶されている前記上げ方向優先順位情報に基づいて何れの変圧器のタップ位置を上げるのかを決定して、前記自己の変圧器のタップ位置を上げると決定した場合には自己の前記負荷時タップ切替機構に対して前記自己の変圧器のタップ位置を上げる方向への切替駆動信号を出力する点にある。
【００２１】
上記特徴構成によれば、タップ制御手段は、自己の変圧器のタップ位置と他の変圧器のタップ位置とが同じである場面において何れかの変圧器のタップ位置を上げる又は下げることが必要になったとき、自己又は他の負荷時タップ切替機構の何れのタップ位置を切り替えるのかを、予め規定された上げ方向優先順位情報及び下げ方向優先順位情報に基づいて決定する。そして、自己の負荷時タップ切替機構に対して自己の変圧器のタップ位置を上げる又は下げる方向への切替駆動信号を出力することによって、各変圧器に接続される発電機の無効電力負担に相違が発生するとしても、その相違は、変圧器制御装置の管理下（即ち、上記上げ方向優先順位情報及び上記下げ方向優先順位情報に基づいて）で意図的に発生するものである。その結果、各変圧器のタップ位置に相違が発生して各変圧器に接続されている発電機の無効電力負担が相違することになっても、その負担の相違を管理できる。
【００２２】
本発明に係る変圧器制御装置の更に別の特徴構成は、
前記情報記憶手段は、前記自己の変圧器のタップ位置と前記他の変圧器のタップ位置とが同じである場面において何れかの変圧器のタップ位置を上げることが必要になったとき、何れの変圧器のタップ位置を上げるように当該負荷時タップ切替機構のタップ位置を優先して切り替えるのか規定された上げ方向優先順位情報と、前記自己の変圧器のタップ位置と前記他の変圧器のタップ位置とが同じである場面において何れかの変圧器のタップ位置を下げることが必要になったとき、何れの変圧器のタップ位置を下げるように当該負荷時タップ切替機構のタップ位置を優先して切り替えるのか規定された下げ方向優先順位情報とを記憶し、
前記タップ制御手段は、
前記電圧検出手段が検出する前記制御対象領域の系統電圧が目標電圧に対して許容偏差以上であり、且つ、前記自己の変圧器のタップ位置が前記他の変圧器のタップ位置と同じであるとき、前記情報記憶手段に記憶されている前記下げ方向優先順位情報に基づいて何れの変圧器のタップ位置を下げるのかを決定して、前記他の変圧器のタップ位置を下げると決定した場合には前記他の変圧器制御装置に対して前記他の変圧器のタップ位置を下げるように前記情報通信回線を介して指示し、並びに、
前記電圧検出手段が検出する前記制御対象領域の系統電圧が目標電圧に対して許容偏差以下であり、且つ、前記自己の変圧器のタップ位置が前記他の変圧器のタップ位置と同じであるとき、前記情報記憶手段に記憶されている前記上げ方向優先順位情報に基づいて何れの変圧器のタップ位置を上げるのかを決定して、前記他の変圧器のタップ位置を上げると決定した場合には前記他の変圧器制御装置に対して前記他の変圧器のタップ位置を上げるように前記情報通信回線を介して指示する点にある。
【００２３】
上記特徴構成によれば、タップ制御手段は、自己の変圧器のタップ位置と他の変圧器のタップ位置とが同じである場面において何れかの変圧器のタップ位置を上げる又は下げることが必要になったとき、自己又は他の負荷時タップ切替機構の何れのタップ位置を切り替えるのかを、予め規定された上げ方向優先順位情報及び下げ方向優先順位情報に基づいて決定する。そして、他の変圧器制御装置に対して他の変圧器のタップ位置を上げる又は下げるように情報通信回線を介して指示することによって、各変圧器に接続される発電機の無効電力負担に相違が発生するとしても、その相違は、変圧器制御装置の管理下（即ち、上記上げ方向優先順位情報及び上記下げ方向優先順位情報に基づいて）で意図的に発生するものである。その結果、各変圧器のタップ位置に相違が発生して各変圧器に接続されている発電機の無効電力負担が相違することになっても、その負荷の相違を管理できる。
【００２４】
本発明に係る変圧器制御装置の更に別の特徴構成は、
前記タップ制御手段は、
前記他の変圧器制御装置から、前記自己の変圧器のタップ位置を上げるように前記情報通信回線を介して指示されたとき、自己の前記負荷時タップ切替機構に対して前記自己の変圧器のタップ位置を上げる方向への切替駆動信号を出力し、
前記他の変圧器制御装置から、前記自己の変圧器のタップ位置を下げるように前記情報通信回線を介して指示されたとき、自己の前記負荷時タップ切替機構に対して前記自己の変圧器のタップ位置を下げる方向への切替駆動信号を出力する点にある。
【００２５】
上記特徴構成によれば、タップ制御手段は、他の変圧器制御装置からの指示に応じて自己の負荷時タップ切替機構のタップ位置の切替制御を行うことで、自己の変圧器のタップ位置を、他の変圧器のタップ位置との関係において適切な位置にすることができる。
【図面の簡単な説明】
【００２６】
【図１】変圧器制御装置の構成を示す図である。
【図２】変圧器制御装置のタップ制御手段が行うタップ切替制御のフローチャートである。
【図３】電力系統の系統電圧と発電機の出力電力との推移を示すグラフである。
【図４】負荷時タップ切替機構のタップ位置の推移を示すグラフである。
【図５】発電機の無効電力の推移を示すグラフである。
【図６】変圧器制御装置のタップ制御手段が行う別のタップ切替制御のフローチャートである。
【発明を実施するための形態】
【００２７】
以下に図面を参照して本発明に係る変圧器制御装置について説明する。
図１は、変圧器制御装置の構成を示す図である。本実施形態では、電力系統１に対して２つの発電設備１０（１０Ａ、１０Ｂ）が接続されている。各発電設備１０Ａ、１０Ｂは互いに同様の構成によって成り立っている。以下に、発電設備１０の構成について説明する。
【００２８】
図１に示したように発電設備１０を電力系統１に接続するとき、その発電設備１０が接続されている電力系統１の電圧（系統電圧）を目標電圧に維持することが、発電設備１０に求められることがある。例えば、発電設備１０が接続されている電力系統１の特定の領域を制御対象領域１ａとした場合、発電設備１０はその制御対象領域１ａの系統電圧を目標電圧に維持することを求められる。そのため、本実施形態において、発電設備１０（１０Ａ、１０Ｂ）は、発電機１１（１１Ａ、１１Ｂ）と変圧器１２（１２Ａ、１２Ｂ）と変圧器制御装置２０（２０Ａ、２０Ｂ）とを備える。
【００２９】
発電機１１は、負荷時タップ切替機構を有する変圧器１２を介して電力系統１に接続されている。負荷時タップ切替機構のタップ位置が切り替えられると変圧器１２の系統側電圧が変化し、それに伴って、電力系統１の中の、発電機１１が接続されている特定の制御対象領域１ａの系統電圧が変化する。
【００３０】
変圧器制御装置２０（２０Ａ、２０Ｂ）は、電圧検出手段１３（１３Ａ、１３Ｂ）と、タップ制御手段１６（１６Ａ、１６Ｂ）と、タップ制御手段１６が取り扱う情報を記憶可能な記憶部（情報記憶手段の一例）１７（１７Ａ、１７Ｂ）を備える。電圧検出手段１３は、電力系統１の中の、発電機１１が接続されている特定の制御対象領域１ａの系統電圧を検出するように設けられている。本実施形態では、２つの発電設備１０Ａ、１０Ｂが電力系統１の中の同じ制御対象領域１ａに接続されている。よって、各発電設備１０Ａ、１０Ｂが備える電圧検出手段１３Ａ、１３Ｂが検出する系統電圧値は同一となる。電圧検出手段１３（１３Ａ、１３Ｂ）は、電圧検出用変圧器１４（１４Ａ、１４Ｂ）と変換器１５（１５Ａ、１５Ｂ）とを有する。電圧検出用変圧器１４は、上記制御対象領域１ａの電力系統１に接続されて、その接続部分の系統電圧（又は系統電圧に対応する電圧）を変換器１５の内部回路に発生させる。変換器１５は、電圧検出用変圧器１４によって自身の内部回路に発生された電圧値を上記制御対象領域１ａの系統電圧値に変換して、タップ制御手段１６へ出力する。
【００３１】
タップ制御手段１６は、タップ位置の切替駆動信号を変圧器１２（負荷時タップ切替機構）に出力可能である。本実施形態において、負荷時タップ切替機構はタップ位置を１７段階で切替可能に構成されている。表１は、タップ位置と変圧器１２のタップ電圧との関係を例示する表である。本実施形態では、変圧器１２Ａと変圧器１２Ｂとが同一の構成である。
【００３２】
【表１】
2011200003.tif 000003
【００３３】
図２は、各変圧器制御装置のタップ制御手段が行うタップ切替制御のフローチャートである。
工程＃１０において変圧器制御装置２０のタップ制御手段１６は、電圧検出手段１３によって検出される制御対象領域１ａの系統電圧が目標電圧に対して許容偏差以上であるか否かを判定する。例えば、目標電圧をＶ［ｋＶ］とし、許容偏差を±α［ｋＶ］とする。もしも、制御対象領域１ａの系統電圧が目標電圧に対して許容偏差以上である場合（工程＃１０において「Ｙｅｓ」の場合）、系統電圧を下げる必要がある。例えば、変圧器１２のタップ位置を下げる必要がある。但し、本実施形態において、タップ制御手段１６は、即座に自己の変圧器１２のタップ位置を下げるのではなく、他の変圧器制御装置２０によって制御されている他の変圧器１２のタップ位置との比較を行って、自己の変圧器１２のタップ位置を下げるべきか否かを判定する。
【００３４】
具体的には、工程＃１２においてタップ制御手段１６は、自己の変圧器１２のタップ位置が、他の変圧器１２のタップ位置よりも大きいか否かを判定する。本実施形態において、変圧器制御装置２０は、他の変圧器制御装置２０と情報通信可能に情報通信回線２を介して接続されており、タップ制御手段１６は、他の変圧器制御装置２０が制御対象としている変圧器１２の負荷時タップ切替機構のタップ位置の伝達を逐次受けて、記憶部１７に記憶している。或いは、タップ制御手段１６は、工程＃１２を実行するとき、他の変圧器制御装置２０に対して、その変圧器制御装置２０が制御対象としている変圧器１２の負荷時タップ切替機構のタップ位置についての情報を情報通信回線２を介して要求して、伝達を受ける。
タップ制御手段１６は、自己の負荷時タップ切替機構のタップ位置が他の負荷時タップ切替機構のタップ位置よりも大きい場合は工程＃１４に移行し、自己の負荷時タップ切替機構のタップ位置が他の負荷時タップ切替機構のタップ位置以下の場合は工程＃１６に移行する。
【００３５】
工程＃１４においてタップ制御手段１６は、自己の変圧器１２の負荷時タップ切替機構のタップ位置を一段下げる。つまり、タップ制御手段１６は、系統電圧を低下させるための貢献が求められている場面において、制御対象である変圧器に接続される発電機の無効電力負担が、他の変圧器に接続される発電機の無効電力負担よりも大きい場合に、自己の変圧器１２の系統側電圧を下げるように、負荷時タップ切替機構に対してタップ位置の切替駆動信号を出力する。
【００３６】
工程＃１６においてタップ制御手段１６は、自己が制御する負荷時タップ切替機構のタップ位置は他の負荷時タップ切替機構のタップ位置より小さいか否かを判定する。
【００３７】
タップ制御手段１６は、工程＃１６において、自己が制御する負荷時タップ切替機構のタップ位置が他の負荷時タップ切替機構のタップ位置より小さくないと判定した場合（結果として、自己が制御する負荷時タップ切替機構のタップ位置が他の負荷時タップ切替機構のタップ位置と同じであると判定した場合）、工程＃１８に移行する。
【００３８】
工程＃１８においてタップ制御手段１６は、電力系統１の系統電圧を下げようとするときの、自己の負荷時タップ切替機構のタップ位置切り替えの優先順位は他よりも高いか否かを判定する。つまり、工程＃１８では、電力系統１の系統電圧を下げるために何れかの負荷時タップ切替機構のタップ位置を下げる方向に切り替える必要があるが、自己が制御する負荷時タップ切替機構のタップ位置が他の負荷時タップ切替機構のタップ位置と同じになっている。本実施形態において、変圧器制御装置２０の記憶部１７には、自己が制御する負荷時タップ切替機構のタップ位置が他の負荷時タップ切替機構のタップ位置と同じであり、且つ、何れかの負荷時タップ切替機構のタップ位置を下げる方向に切り替える必要があるとき、どの負荷時タップ切替機構のタップ位置を優先して切り替えるのかが規定された「下げ方向優先順位情報」が記憶されている。従って、工程＃１８においてタップ制御手段１６は、記憶部１７に記憶されている「下げ方向優先順位情報」を読み出して参照して、自己の負荷時タップ切替機構のタップ位置切り替えの優先順位が他よりも高いときには工程＃１４に移行して自己の負荷時タップ切替機構のタップ位置を下げる方向に切り替え、自己の負荷時タップ切替機構のタップ位置切り替えの優先順位が他よりも低いときにはタップ動作を行わず、現在のタップ位置を保持する。
タップ制御手段１６は、工程＃１４を実行した後、工程＃１０へリターンする。
【００３９】
工程＃２２において変圧器制御装置２０のタップ制御手段１６は、電圧検出手段１３によって検出される制御対象領域１ａの系統電圧が目標電圧に対して許容偏差以下であるか否かを判定する。もしも、制御対象領域１ａの系統電圧が目標電圧に対して許容偏差以下である場合（工程＃２２において「Ｙｅｓ」の場合）、発電設備１０は系統電圧を上げるように動作する必要がある。具体的には、変圧器１２のタップ位置を上げる必要がある。但し、上述したのと同様に、タップ制御手段１６は、即座に自己の変圧器１２のタップ位置を上げるのではなく、他の変圧器制御装置２０によって制御されている他の変圧器１２のタップ位置との比較を行って、自己の変圧器１２のタップ位置を下げるべきか否かを判定する。
【００４０】
具体的には、工程＃２４においてタップ制御手段１６は、自己の変圧器１２のタップ位置が、他の変圧器１２のタップ位置よりも小さいか否かを判定する。タップ制御手段１６は、自己の負荷時タップ切替機構のタップ位置が他の負荷時タップ切替機構のタップ位置よりも小さい場合は工程＃２６に移行し、自己の負荷時タップ切替機構のタップ位置が他の負荷時タップ切替機構のタップ位置以上の場合は工程＃２８に移行する。
【００４１】
工程＃２６においてタップ制御手段１６は、負荷時タップ切替機構のタップ位置を一段上げる。つまり、タップ制御手段１６は、系統電圧を上昇させるための貢献が求められている場面において、制御対象である変圧器に接続される発電機の無効電力負担が、他の変圧器に接続される発電機の無効電力負担よりも小さい場合に、自己の変圧器１２のタップ位置を上げるように、負荷時タップ切替機構に対してタップ位置の切替駆動信号を出力する。
【００４２】
工程＃２８においてタップ制御手段１６は、自己が制御する負荷時タップ切替機構のタップ位置は他の負荷時タップ切替機構のタップ位置より大きいか否かを判定する。
【００４３】
タップ制御手段１６は、工程＃２８において、自己が制御する負荷時タップ切替機構のタップ位置が他の負荷時タップ切替機構のタップ位置より大きくないと判定した場合（結果として、自己が制御する負荷時タップ切替機構のタップ位置が他の負荷時タップ切替機構のタップ位置と同じであると判定した場合）、工程＃３０に移行する。
【００４４】
工程＃３０においてタップ制御手段１６は、電力系統１の系統電圧を上げようとするときの、自己の負荷時タップ切替機構のタップ位置切り替えの優先順位は他よりも高いか否かを判定する。つまり、工程＃３０では、電力系統１の系統電圧を上げるために何れかの負荷時タップ切替機構のタップ位置を上げる方向に切り替える必要があるが、自己が制御する負荷時タップ切替機構のタップ位置が他の負荷時タップ切替機構のタップ位置と同じになっている。本実施形態において、変圧器制御装置２０の記憶部１７には、自己が制御する負荷時タップ切替機構のタップ位置が他の負荷時タップ切替機構のタップ位置と同じであり、且つ、何れかの負荷時タップ切替機構のタップ位置を上げる方向に切り替える必要があるとき、どの負荷時タップ切替機構のタップ位置を優先して切り替えるのかが規定された「上げ方向優先順位情報」が記憶されている。従って、工程＃３０においてタップ制御手段１６は、記憶部１７に記憶されている「上げ方向優先順位情報」を読み出して参照して、自己の負荷時タップ切替機構のタップ位置切り替えの優先順位が他よりも高いときには工程＃２６に移行して自己の負荷時タップ切替機構のタップ位置を上げる方向に切り替え、自己の負荷時タップ切替機構のタップ位置切り替えの優先順位が他よりも低いときにはタップ動作を行わず、現在のタップ位置を保持する。
タップ制御手段１６は、工程＃２６を実行した後、工程＃１０へリターンする。
【００４５】
以上のように、本発明に係る変圧器制御装置２０は、タップ制御手段１６によるタップ位置の切替制御によって、各発電機１１を電力系統１に接続している各変圧器１２のタップ位置が互いに近づくように、或いは、各変圧器１２の系統側電圧が乖離するとしても最小限に収まるようにできる。また、各変圧器１２のタップ動作が同時に行われないようにできる。従って、複数の発電機１１の無効電力負担、即ち、電力系統１の系統電圧を目標電圧付近に維持するための貢献度合い、タップ動作回数、及びタップ動作タイミングを平準化するように動作する変圧器制御装置２０を提供できる。
【００４６】
以下に、図３〜図５を参照して、上述したタップ切替制御を実際に行った場合の例を説明する。図３〜５に示すのは、一方の発電機１１が既に稼動している状態で、新たに他方の発電機１１を並列するときの例である。図３は、電力系統の系統電圧と各発電機１１Ａ、１１Ｂの有効電力との推移を示すグラフである。図４は、各負荷時タップ切替機構のタップ位置の推移を示すグラフである。図５は、各発電機１１Ａ、１１Ｂの無効電力の推移を示すグラフである。
【００４７】
時刻ｔ１以前は発電設備１０Ａのみが稼動している。このとき、発電設備１０Ａの負荷時タップ切替機構のタップ位置は１１段目である。電力系統１の目標電圧は２７６ｋＶであり、許容偏差は±２ｋＶとしている。
時刻ｔ１において発電設備１０Ｂが並列すると、発電設備１０Ｂの発電機１１Ｂの出力有効電力は徐々に上昇する。時刻ｔ１において、電力系統１の系統電圧は約２７２ｋＶであり、目標電圧（２７６ｋＶ）に対して許容偏差（±２ｋＶ）よりも小さくなっている期間が設定期間（この例の場合７０秒）以上継続している。また、時刻ｔ１において、発電設備１０Ａの負荷時タップ切替機構のタップ位置は１１段目であり、発電装置１０Ｂの負荷時タップ切替機構のタップ位置は１０段目である。そのため、発電設備１０Ｂの変圧器制御装置２０Ｂのタップ制御手段１６Ｂは自己の変圧器１２Ｂの系統側電圧を上げるようにタップ位置を切り替える（図２の工程＃２６）。図４に示す例でも、結果として、時刻ｔ１において発電設備１０Ｂの変圧器制御装置２０Ｂのタップ制御手段１６Ｂが負荷時タップ切替機構のタップ位置を１０段目から１１段目へと切り替えている。
【００４８】
更に、時刻ｔ１から時刻ｔ２の間において、前記の状況に引き続いて、電力系統１の系統電圧は目標電圧（２７６ｋＶ）に対して許容偏差（±２ｋＶ）よりも小さくなっている期間が設定期間（７０秒）以上継続している。そのため、発電設備１０Ａの負荷時タップ切替機構のタップ位置又は発電設備１０Ｂの負荷時タップ切替機構のタップ位置の何れかを１段階上げて、電力系統１の系統電圧を上昇させることが必要になっている。本実施形態では、電力系統１の系統電圧を上げようとするとき、発電設備１０Ｂの変圧器１２Ｂの負荷時タップ切替機構のタップ位置を優先して上げることとする「上げ方向優先順位情報」が各記憶部１７Ａ、１７Ｂに記憶されている。その結果、時刻ｔ２において、発電設備１０Ｂの変圧器１２Ｂの負荷時タップ切替機構のタップ位置が、１段階上げられて１２段目になる。
【００４９】
時刻ｔ２から時刻ｔ３までの間は、発電設備１０Ａの負荷時タップ切替機構のタップ位置が１１段目であり、発電設備１０Ｂの負荷時タップ切替機構のタップ位置が１２段目である状態のままで発電設備１０Ａ及び発電設備１０Ｂの運転が継続される。このとき、発電設備１０Ｂの負荷時タップ切替機構のタップ位置の方が、発電設備１０Ａの負荷時タップ切替機構のタップ位置よりも高い段数になっているため、図５に示すように、発電設備１０Ｂの発電機１１Ｂが出力する無効電力は、発電設備１０Ａの発電機１１Ａが出力する無効電力よりも大きくなっている。つまり、発電設備１０Ｂの発電機１１Ｂの方が、発電設備１０Ａの発電機１１Ａよりも無効電力負担が高い状態で稼動している。
【００５０】
時刻ｔ３の直前の設定期間（７０秒）の間、電力系統１の系統電圧が、目標電圧（２７６ｋＶ）に対して許容偏差（±２ｋＶ）よりも小さい状態が継続している。また、時刻ｔ３において、発電設備１０Ａの負荷時タップ切替機構のタップ位置は１１段目であり、発電装置１０Ｂの負荷時タップ切替機構のタップ位置は１２段目である。そのため、発電設備１０Ａの２０Ａのタップ制御手段１６Ａは自己の変圧器１２Ａの系統側電圧を上げるようにタップ位置を切り替える（図２の工程＃２６）。図４に示す例でも、結果として、時刻ｔ３において発電設備１０Ａの変圧器制御装置２０Ａのタップ制御手段１６Ａが負荷時タップ切替機構のタップ位置を１１段目から１２段目へと切り替えている。
【００５１】
時刻ｔ３において、発電設備１０Ａの変圧器制御装置２０Ａのタップ制御手段１６Ａが負荷時タップ切替機構のタップ位置を１１段目から１２段目へと切り替えることで、発電設備１０Ａの発電機１１Ａが出力する無効電力が上昇して、発電設備１０Ｂの発電機１１Ｂが出力する無効電力と同程度となっている。つまり、発電設備１０Ａの発電機１１Ａと発電設備１０Ｂの発電機１１Ｂとは、ほぼ同等の無効電力負担状態で稼動している。
【００５２】
以上のように、複数の発電設備１０Ａ、１０Ｂのそれぞれの負荷時タップ切替機構のタップ位置を平準化することで、複数の発電設備１０Ａ、１０Ｂの間の電力系統１に対する負担（無効電力）を平準化できている。
【００５３】
＜別実施形態＞
＜１＞
上記実施形態において、上げ方向優先順位情報及び下げ方向優先順位情報は随時変更される情報であってもよく、或いは、変更されない情報でもよい。
例えば、上げ方向優先順位情報及び下げ方向優先順位情報は、発電設備１０Ａの負荷時タップ切替機構のタップ位置の切り替えが、発電設備１０Ｂの負荷時タップ切替機構のタップ位置の切り替えよりも優先される（又は、その逆）という不変の関係が規定された情報であってもよい。
或いは、タップ制御手段１６Ａ、１６Ｂが、発電機１１Ａ、１１Ｂを始動してからのそれぞれの負荷時タップ切替機構のタップ位置の切り替え回数を累積して記憶部１７Ａ、１７Ｂに記憶しておき、累積したタップ位置の切り替え回数を情報通信回線２を介して定期的に伝達し合って、切り替え回数の少ない方の負荷時タップ切替機構のタップ位置の切り替えを優先する新たな上げ方向優先順位情報及び下げ方向優先順位情報を規定してもよい。
また或いは、時間帯別や季節別など予め定めたスケジュールに応じ、どのタップ切替機構の動作を優先するかを規定しても良い。タップ動作に関する最適化演算（系統側電圧の仕上がり値など）に基づき、どのタップ切替機構の動作を優先するかを規定しても良い。
【００５４】
＜２＞
上記実施形態では、２つの発電設備１０（１０Ａ、１０Ｂ）が同一の制御対象領域１ａに接続されている例を説明したが、３つ以上の発電設備１０が同一の制御対象領域１ａに接続されていてもよい。そのような場合であっても、各発電設備１０に設けられている変圧器制御装置２０のタップ制御手段１６は、電圧検出手段１３が検出する制御対象領域１ａの系統電圧が目標電圧に対して許容偏差以上又は許容偏差以下であるかの判定、及び、自己の変圧器１２のタップ位置が記憶部１７に記憶されている他の変圧器１２のタップ位置より高い又は低い又は同じかの判定を行って、自己の変圧器１２の系統側電圧を上げる又は下げる方向へのタップ位置の切替駆動信号を出力すればよい。
【００５５】
＜３＞
上記実施形態では、二つの発電設備１０（１０Ａ、１０Ｂ）が各々独立のタップ制御手段を持ち、各々が図２に基づくフローチャートによりタップ切替制御を行う例を説明したが、図６のように、工程＃２０、工程＃３２、工程＃３４、工程＃３６を持たせ、自己のタップ位置切替の順位が他よりも低いときには、他の変圧器１２の変圧器制御装置２０に対して情報通信回線２を介してタップ位置の切替指令を出すようにすることにより、単一のタップ制御手段１６により複数の変圧器１２のタップ切替制御を行えるようにしてもよい。
【００５６】
例えば、図６の工程＃１６においてタップ制御手段１６は、自己が制御する負荷時タップ切替機構のタップ位置は他の負荷時タップ切替機構のタップ位置より小さいか否かを判定する。そして、タップ制御手段１６は、自己が制御する負荷時タップ切替機構のタップ位置が他の負荷時タップ切替機構のタップ位置より小さい場合（工程＃１６において「Ｙｅｓ」の場合）、工程＃２０に移行して、他の変圧器制御装置２０に対してタップ位置を下げるように指示する。つまり、タップ制御手段１６は、系統電圧を低下させるための貢献が求められている場面において、自己による系統電圧を低下させるための貢献度合いが他よりも高いとき、他方による系統電圧を低下させるための貢献度合いが高くなるように、他の変圧器制御装置２０に対して他の変圧器１２のタップ位置を下げるように情報通信回線２を介して指示する。
図６の工程＃１８においてタップ制御手段１６は、電力系統１の系統電圧を下げようとするときの、自己の負荷時タップ切替機構のタップ位置切り替えの優先順位は他よりも高いか否かを判定する。つまり、工程＃１８においてタップ制御手段１６は、記憶部１７に記憶されている「下げ方向優先順位情報」を読み出して参照して、自己の負荷時タップ切替機構のタップ位置切り替えの優先順位が他よりも高いときには工程＃１４に移行して自己の負荷時タップ切替機構のタップ位置を下げる方向に切り替え、自己の負荷時タップ切替機構のタップ位置切り替えの優先順位が他よりも低いときには工程＃２０に移行して他の変圧器制御装置２０に対してタップ位置を下げるように指示する。
タップ制御手段１６は、工程＃１４又は工程＃２０を実行した後、工程＃３４に移行する。
【００５７】
また、図６の工程＃２８においてタップ制御手段１６は、自己が制御する負荷時タップ切替機構のタップ位置は他の負荷時タップ切替機構のタップ位置より大きいか否かを判定する。そして、タップ制御手段１６は、自己が制御する負荷時タップ切替機構のタップ位置が他の負荷時タップ切替機構のタップ位置より大きい場合（工程＃２８において「Ｙｅｓ」の場合）、工程＃３２に移行して、他の変圧器制御装置２０に対してタップ位置を上げるように情報通信回線２を介して指示する。つまり、タップ制御手段１６は、系統電圧を上昇させるための貢献が求められている場面において、自己による系統電圧を上昇させるための貢献度合いが他よりも高いとき、他方による系統電圧を上昇させるための貢献度合いが高くなるように、他の変圧器制御装置２０に対して他の変圧器１２のタップ位置を上げるように情報通信回線２を介して指示する。
図６の工程＃３０においてタップ制御手段１６は、電力系統１の系統電圧を上げようとするときの、自己の負荷時タップ切替機構のタップ位置切り替えの優先順位は他よりも高いか否かを判定する。つまり、工程＃３０においてタップ制御手段１６は、記憶部１７に記憶されている「上げ方向優先順位情報」を読み出して参照して、自己の負荷時タップ切替機構のタップ位置切り替えの優先順位が他よりも高いときには工程＃２６に移行して自己の負荷時タップ切替機構のタップ位置を上げる方向に切り替え、自己の負荷時タップ切替機構のタップ位置切り替えの優先順位が他よりも低いときには工程＃３２に移行して他の変圧器制御装置２０に対してタップ位置を上げるように指示する。
タップ制御手段１６は、工程＃２６又は工程＃３２を実行した後、工程＃３４に移行する。
【００５８】
工程＃３４においてタップ制御手段１６は、他の変圧器制御装置２０により、自己の変圧器１２の負荷時タップ切替機構のタップ位置の変更指示があった場合には、自己の負荷時タップ切替機構のタップ位置を変更指示に応じて切り替える。
タップ制御手段１６は、工程＃３６においてタップ位置の切り替えを実行した後、又は、工程＃３４において他の変圧器制御装置２０から変更指示がなかったと判定した場合、工程＃１０へとリターンする。
【００５９】
＜４＞
上記実施形態では、発電機１１Ａ、変圧器１２Ａと発電機１１Ｂ、変圧器１２Ｂとが同一の構成である例を説明したが、互いに異なる構成の発電機１１、変圧器１２を用いることもできる。但し、その場合には、各変圧器１２の負荷時タップ切替機構のタップ位置が同じ段数を示していても各発電機１１の無効電力負担は異なった値になる。このような場合であっても、各タップ制御手段１６は、あくまでも他の変圧器制御装置２０が制御対象としている変圧器１２のタップ位置の伝達を逐次受けて、記憶部１７に記憶しておき、自己の変圧器１２のタップ位置が記憶部１７に記憶されている他の変圧器１２のタップ位置より高い又は低い又は同じかの比較を行えばよい。
【００６０】
＜５＞
上記実施形態では、制御対象領域１ａの系統電圧の目標電圧が２７６ｋＶである例を説明したが、他の電圧値を目標電圧としてもよい。或いは、時間帯、季節、系統側の運用条件によって目標電圧を変更してもよい。
【産業上の利用可能性】
【００６１】
本発明の変圧器制御装置は、電力系統に接続されている複数の発電機の無効電力負担、及びタップ動作回数を平準化させるために利用できる。
【符号の説明】
【００６２】
１  電力系統
１ａ  制御対象領域
２  情報通信回線
１０（１０Ａ、１０Ｂ）  発電設備
１１（１１Ａ、１１Ｂ）  発電機
１２（１２Ａ、１２Ｂ）  変圧器
１３（１３Ａ、１３Ｂ）  電圧検出手段
１６（１６Ａ、１６Ｂ）  タップ制御手段
１７（１７Ａ、１７Ｂ）  記憶部（情報記憶手段）
２０（２０Ａ、２０Ｂ）  変圧器制御装置
【図１】
2011200003.tif 000004
【図２】
2011200003.tif 000005
【図３】
2011200003.tif 000006
【図４】
2011200003.tif 000007
【図５】
2011200003.tif 000008
【図６】
2011200003.tif 000009